(57)【要約】      （修正有）【課題】甲被の上から爪先を被覆する被覆層を形成可能とするサイドモールドおよび当該サイドモールドを用いる靴製造装置を提供する。【解決手段】サイドモールド１００は、インジェクションモールド方式により靴を製造するために用いられるサイドモールドであって、水平方向に開閉可能な第一サイド１０と第二サイド２０とを有し、第一サイド１０および第二サイド２０の少なくとも一方には、靴を構成する甲被の足指の上方を覆う天井部（第一天井部３２、第二天井部３４）が設けられており、天井部は内面側に凹部４０を有し、凹部４０と吊り込まれた甲被との間に、足指を被覆する被覆部を形成するための第一キャビティが形成されるとともに、天井部の少なくとも一部に、第一キャビティを開放可能に動作する開閉部５０を備え、靴製造装置は、サイドモールド１００と、ボトムモールドと、ラストモールドとを備える。【選択図】図１
2019188636.tif 000002
【特許請求の範囲】
【請求項１】
インジェクションモールド方式により靴を製造するために用いられるサイドモールドであって、
水平方向に開閉可能な第一サイドと第二サイドとを有し、
前記第一サイドおよび前記第二サイドの少なくとも一方には、靴を構成する甲被の足指の上方を覆う天井部が設けられており、
前記天井部は内面側に凹部を有し、
前記凹部と吊り込まれた甲被との間に、足指を被覆する被覆部を形成するための第一キャビティが形成されるとともに、前記天井部の少なくとも一部に、前記第一キャビティを開放可能に動作する開閉部を備えることを特徴とするサイドモールド。
【請求項２】
前記第一サイドの第一分割面および前記第二サイドの第二分割面が互いに当接して前記サイドモールドが型締めされたとき、
前記開閉部が閉状態となる請求項１に記載のサイドモールド。
【請求項３】
少なくとも前記第一サイドは、前記天井部の前記開閉部が連結された第一端部、力点を有する第二端部、および前記第一端部と前記第二端部との間に設けられた支点を備える回転部材と、
前記第一分割面から外方向に突出した露出端を有し、前記露出端が非突出方向に押されることで当該非突出方向に移動するとともに前記力点に力を加えるボタン部と、
を有する回転構造を備え、
前記サイドモールドが型締めされることで、前記第一分割面から突出する前記ボタン部の前記露出端が、前記第二分割面に当接して非突出方向に押されて移動し、これによって前記力点に力が加わることで前記回転部材が回転するとともに前記開閉部が閉状態となるよう動作する請求項２に記載のサイドモールド。
【請求項４】
前記サイドモールドが、靴を構成する甲被の爪先側に足指を保護するための爪先用プロテクターが配置された安全靴を製造するためのモールドであって、
前記凹部と前記爪先用プロテクターの表面との間に前記第一キャビティが形成される請求項１から３のいずれか一項に記載のサイドモールド。
【請求項５】
請求項１から４のいずれか一項に記載の前記サイドモールドと、ボトムモールドと、ラストモールドとを備えることを特徴とする靴製造装置。
【請求項６】
前記ボトムモールドと前記ラストモールドとの間に形成された靴底形成用の第二キャビティと、前記第一キャビティとが、樹脂が流通可能に連通している請求項５に記載の靴製造装置。
【発明の詳細な説明】
【技術分野】
【０００１】
本発明は、甲被上に爪先を覆う被覆層を備える靴を製造するために用いられるサイドモールドおよび靴製造装置に関する。
【背景技術】
【０００２】
靴の製造方法として、インジェクションモールド方式が知られている。かかる方式は、靴の甲被を装着されたラストモールドに対し、側面側にサイドモールドを配置し、底面側にボトムモールドを配置して型締めし、これらの間に形成された空間（キャビティ）に樹脂を注入して靴底を形成する。
【０００３】
ところで、靴は、履き心地などが勘案された甲被により、足の甲が覆われる構成が一般的である。しかしながら、歩行する際の先端側に位置する爪先は、物に衝突する危険の多い部位であり、また重量物の落下によって爪先が損傷する恐れがあり、保護を必要とする部位であるため、当該爪先部を保護する機能を備える靴が求められる場合がある。安全靴がその一例である。
【０００４】
たとえば下記特許文献１には、重量物の落下などから足の爪先を保護するための爪先プロテクター（先芯）が設けられた安全靴が提案されている。具体的には、下記特許文献１には、甲被（特許文献１では表甲被と記載）の内側にライニング材（特許文献１では裏甲被と記載）が設けられてなる二重構造を有し、これらの間に爪先プロテクターが配置された安全靴が提案されている。かかる安全靴は、甲被とライニング材とを重ね合わせ、爪先部を除き縫合されているとともに、甲被の爪先部下周縁に糸で構成した多数のループと、当該ループ中に挿通された紐を備えている。かかる安全靴の製造方法は、ラストモールドに甲被が吊り込まれた状態において、甲被とライニング材との間に爪先プロテクターを装着し、その後、上記紐により爪先部下周縁を絞り込むことで、甲被をラストモールドに密着させる工程を備え、爪先プロテクターを有する安全靴でありながら、従来に比べて生産効率の向上が図られていると説明されている。
【０００５】
しかし特許文献１に開示される従来の安全靴は、甲被の内側において、当該甲被とライニング材との間に爪先プロテクターが挟まれた三層構造を有しているため、安全靴の洗浄時にライニング材から浸み込んだ水分を乾燥させる乾燥時間が長くなるという問題があった。また、安全靴の洗浄は、業者に回収されドラム式の洗濯槽で行われ、再度使用することがある。この際、洗濯槽における回転によって安全靴に遠心力がかかるため、爪先プロテクターが装着され前方と後方とで重量に大きく偏りのある安全靴は、相対的に重量が大きい爪先側が洗濯槽の内側面に繰り返し衝突する。その結果、安全靴の爪先側の甲被が破損し易いという問題があった。
【０００６】
また子供靴などの一般的なシューズも、爪先側の安全性を強化したいという要望があった。
【先行技術文献】
【特許文献】
【０００７】
【特許文献１】特開平０７−０６７７０２号公報
【発明の概要】
【発明が解決しようとする課題】
【０００８】
そこで、本発明者は、甲被の上側に爪先側を覆う樹脂製の被覆層が設けられた靴を製造することにより、爪先側の保護を図るという着想に至った。安全靴の場合には、甲被と上記被覆層との間に爪先プロテクターを配置すればよく、これにより甲被の内側に爪先プロテクターを配置した従来の安全靴のように、内側に水が溜まり易い構造を回避して乾燥時間を短縮させることが可能である。また、安全靴を洗浄する際も、洗濯槽に衝突し易い爪先側に被覆層を設けることで、甲被の破損を防止することができる。
【０００９】
ただし、被覆層を備える靴を製造するために、一般的なインジェクションモールド方式に用いられる靴製造装置を転用しようとした場合、以下の問題があることがわかった。当該問題について図５、図６を用いて説明する。
図５（ａ）は従来のサイドモールド４００の閉状態を示す上面図であり、図５（ｂ）は図５（ａ）に示すサイドモールド４００の開状態を示す上面図である。図６（ａ）は第一天井部４３２および第二天井部４３４を備えた参考例のサイドモールド４０２の閉状態を示す上面図であり、図６（ｂ）は図６（ａ）に示すサイドモールド４０２の開状態を示す上面図である。
【００１０】
図５（ａ）に示すとおり、一般的なインジェクションモールド方式に用いられるサイドモールド４００は、第一サイド４１０の分割面４１２と、第二サイド４２０の分割面４２２とが当接して型締めされ、製造予定の靴の外縁に沿って上下に貫通する開口４３０が形成される。図示省略するラストモールドとボトムモールドとの間に形成されたキャビティに樹脂が注入されて靴底が形成された後、図５（ｂ）に示すとおり、第一サイド４１０の分割面４１２と第二サイド４２０の分割面４２２とが離間することで、図５（ａ）に示す開口４３０が広がり、図示省略するラストモールドが取り外される。このとき分割面４１２と分割面４２２との離間距離が１０センチ前後に確保されれば、サイドモールド４００は、ラストモールドを上方に移動させるに際し障害とならない。
【００１１】
ところが、インジェクションモールド方式で甲被の上から爪先を覆う被覆層を形成しようとすると以下の問題が発生する。
具体的には図６（ａ）に示すとおり、第一天井部４３２を備える第一サイド４７０および第二天井部４３４を備える第二サイド４８０とからなるサイドモールド４０２を準備する。第一天井部４３２および第二天井部４３４の内側には、図示省略するラストモールドとともに被覆層を形成するためのキャビティを構成する凹部４４０が形成されている。インジェクションモールド方式において、上記キャビティに樹脂を注入することで、ラストモールドに装着された甲被の爪先側を覆う樹脂製の被覆層を形成することができる。
上述のとおり被覆層が形成された後、ラストモールドを取り外す際、図６（ｂ）に示すとおり、分割面４１２と分割面４２２との離間距離が第一天井部４３２および第二天井部４３４を有しないサイドモールド４００と同様に１０センチ前後しか確保できない場合、ラストモールドの爪先側に第一天井部４３２および第二天井部４３４が当たってしまい、当該ラストモールドを上方に移動させるに際に障害となる場合がある。
【００１２】
もちろん、サイドモールド４０２において、分割面４１２と分割面４２２との離間距離を充分に大きく確保できれば、ラストモールドの取り出しはスムーズである。しかしその場合、第一サイド４７０および第二サイド４８０が大きく移動するための空間を確保しなければならない。そのため、靴製造装置自体の変更あるいは靴製造装置の設置環境に拡張が要されるので、実際には分割面４１２と分割面４２２との離間距離を変更することはできないのが実情であった。また従来の靴製造装置を、被覆層を備える靴の製造に転用することが困難である場合があった。
【００１３】
本発明は上述のような課題に鑑みてなされたものである。即ち、本発明は、従来のインジェクションモールド方式の靴製造装置の設置環境と同様の環境において、甲被の上から爪先を被覆する被覆層を形成可能とするサイドモールドおよび当該サイドモールドを用いる靴製造装置を提供するものである。
【課題を解決するための手段】
【００１４】
本発明のサイドモールドは、インジェクションモールド方式により靴を製造するために用いられるサイドモールドであって、水平方向に開閉可能な第一サイドと第二サイドとを有し、上記第一サイドおよび上記第二サイドの少なくとも一方には、靴を構成する甲被の足指の上方を覆う天井部が設けられており、上記天井部は内面側に凹部を有し、上記凹部と吊り込まれた甲被との間に、足指を被覆する被覆部を形成するための第一キャビティが形成されるとともに、上記天井部の少なくとも一部に、上記第一キャビティを開放可能に動作する開閉部を備えることを特徴とする。
【００１５】
また本発明の靴製造装置は、本発明のサイドモールドと、ボトムモールドと、ラストモールドとを備えることを特徴とする。
【発明の効果】
【００１６】
本発明のサイドモールドは、甲被の上側であって爪先を覆う被覆層を成形可能とし、かつ被覆層形成後、甲被を装着したラストモールドをスムーズに取り外すことが可能である。
【００１７】
また本発明の靴製造装置は、本発明のサイドモールドの効果を享受し、従来のインジェクションモールド方式の靴製造装置と同様の設置環境において、甲被の上から爪先を覆う被覆層を備えた靴を製造することができる。
【図面の簡単な説明】
【００１８】
【図１】（ａ）は本発明のサイドモールドの閉状態を示す上面図であり、（ｂ）は（ａ）に示すサイドモールドの正面図である。
【図２】（ａ）は本発明のサイドモールドの開状態を示す上面図であり、（ｂ）は（ａ）に示すサイドモールドの正面図である。
【図３】本発明のサイドモールドを備える本発明の靴製造装置の左足第５趾側から観察した側面図であり、紙面手前側の第一サイドを図示省略している。
【図４】本発明のサイドモールドを用いて製造した安全靴の縦断面図である。
【図５】（ａ）は従来のサイドモールドの閉状態を示す上面図であり、（ｂ）は（ａ）に示すサイドモールドの開状態を示す上面図である。
【図６】（ａ）は天井部を備えた参考例のサイドモールドの閉状態を示す上面図であり、（ｂ）は（ａ）に示すサイドモールドの開状態を示す上面図である。
【発明を実施するための形態】
【００１９】
以下、本発明の実施形態について、図１から図４を用いて説明する。すべての図面において、同様の構成要素には同一の符号を付し、重複する説明は適宜に省略する。本発明に関し上下方向は、特段の断りがない場合には、安全靴を製造する状態における上下方向を意味する。また正面とは、製造される靴を基準として、靴の爪先側から観察した面を正面とする。
【００２０】
図１（ａ）は、本発明のサイドモールド１００の閉状態を示す上面図である。図１（ｂ）は、図１（ａ）に示すサイドモールド１００の正面図である。上記閉状態とは、サイドモールド１００が型締めされ、樹脂が注入可能な状態を意味する。
図２（ａ）は、本発明のサイドモールド１００の開状態を示す上面図である。図２（ｂ）は、図２（ａ）に示すサイドモールド１００の正面図である。上記開状態とは、サイドモールド１００を構成する第一サイド１０の第一分割面３６と第二サイド２０の第二分割面３８とが離間し、被覆層２２０と靴底２４０を備える甲被２００を伴うラストモールドが他のモールドと接触することなく上方に移動可能となり取り出せる状態を意味する。
図３は、本発明のサイドモールド１００を備える本発明の靴製造装置５００の左足第５趾側から見た側面図であり、紙面手前側の第一サイド１０を図示省略するとともにボトムモールド３００を分割面２２に沿った断面で示している。
図４は、本発明のサイドモールド１００を用いて製造した安全靴２５０の縦断面図である。
【００２１】
以下の説明では、甲被２００上に配置された爪先プロテクター２１０を覆う被覆層２２０を備える安全靴２５０の製造に用いられるサイドモールド１００を例に本発明を説明する。しかしかかる説明は、本発明を何ら限定せず、本発明は、甲被上に直接に被覆層が設けられる態様の靴、あるいは、甲被と被覆層との間に爪先プロテクター以外の部材が挟まれる態様の靴を包含する。
【００２２】
即ち、本実施形態にかかるサイドモールド１００は、靴を構成する甲被２００の爪先側に足指を保護するための爪先プロテクター２１０が配置された安全靴２５０（図４参照）を製造するためのモールドである。具体的には、第一天井部３２および第二天井部３４の内面側に形成された凹部４０と爪先プロテクター２１０の表面との間に第一キャビティ１１０（図３参照）が形成される。
本実施形態にかかる安全靴２５０は、図４に示すとおり甲被２００上に爪先プロテクター２１０が配置され、その爪先プロテクター２１０の全部を覆う被覆層２２０を備える。また安全靴２５０は、甲被２００と部分的に接合された中底２３０と中底２３０の下面側に形成された靴底であるアウトソール２４０を備える。本実施形態では、アウトソール２４０と被覆層２２０とは一連一体に形成されている。
【００２３】
まず本実施形態のサイドモールド１００の概要について説明する。
本実施形態にかかるサイドモールド１００は、インジェクションモールド方式により靴を製造するために用いられる。ここでインジェクションモールド方式とは、複数のモールドで形成された空間であるキャビティに外部から樹脂を注入して硬化させ、これによって靴の構成の一部を製造するとともに、製造された上記構成と甲被とを同工程において接合させる靴製造方式を意味する。
サイドモールド１００は、図１に示すとおり、水平方向に開閉可能な第一サイド１０と第二サイド２０とを有している。第一サイド１０および第二サイド２０の少なくとも一方には、安全靴２５０を構成する甲被２００の足指の上方を覆う天井部が設けられている。本実施形態では、第一サイド１０および第二サイド２０の両方に、それぞれ第一天井部３２および第二天井部３４が設けられている。天井部である第一天井部３２および第二天井部３４は、内面側に凹部４０を有している。凹部４０は、形成が予定される被覆層２２０（図４参照）の外周面に沿った形状をしている。図３に示すとおり、凹部４０と吊り込まれた甲被２００との間に、足指を被覆する被覆層２２０を形成するための第一キャビティ１１０が形成される。これによって、インジェクションモールド方式の靴製造において、サイドモールド１００を用いることで、甲被の爪先側に足指を覆う樹脂製の被覆層を設けることができる。
【００２４】
また安全靴２５０の製造にサイドモールド１００を用いることで、従来の安全靴の製造のように甲被の内側に爪先プロテクターを配置してライニング材で覆うという工程を要さず、一般的なインジェクションモールド方式の靴製造において、容易に安全靴２５０を製造することが可能である。またこれにより製造された安全靴２５０は、甲被２００の上側に爪先プロテクター２１０が配置され、さらにその上に樹脂製の被覆層２２０が設けられているため、洗浄時、洗濯槽の内面に爪先側が接触した場合であっても甲被２００の破損が回避される。さらに、甲被の内側に爪先プロテクターとライニング材が設けられた従来の安全靴の構造に比べ、靴の内部の乾燥時間が短縮される。
【００２５】
天井部である第一天井部３２および第二天井部３４の少なくとも一部には、第一キャビティ１１０を開放可能に動作する開閉部５０が設けられている。被覆層２２０を形成した後、ラストモールドを上方に取り外す際、開閉部５０を開状態とすることで、第一サイド１０の分割面１２と第二サイド２０の第二分割面２２との離間距離を適度に抑えつつ、スムーズにラストモールドを取り出すことが可能である。
したがって、サイドモールド１００が、従来のインジェクションモールド方式の靴製造装置に用いられることで、既存の靴製造装置の設置環境および装置の構造を大きく変更することなく、被覆層を備える靴を容易に製造することができる。
【００２６】
以下に本実施形態のサイドモールド１００の詳細について説明する。
本実施形態におけるサイドモールド１００を構成する第一サイド１０および第二サイド２０は、正面視において左右一対のモールドであり、適宜、併用されるボトムモールドおよびラストモールドとともに靴底を形成するためのキャビティ（図３の第二キャビティ１２０、参照）を構成し得る。図１に示すとおり、靴製造装置において型締めされたとき互いに対面する第一サイド１０の第一分割面１２と、第二サイド２０の第二分割面２２とが当接し閉状態となる。一方、図２に示すとおり、サイドモールド１００は、第一サイド１０の第一分割面１２と、第二サイド２０の第二分割面２２とが離間することで開状態となり得る。
【００２７】
図示省略するが、型締めされたとき、第一サイド１０および第二サイド２０が、互いにずれなく閉状態が維持されるよう、互いに凹凸嵌合構造を備えるとよい。たとえば第二分割面２２に図示省略する突起を設け、他方の第一分割面１２であって、閉状態のときに上記突起に対応する領域に凹部を設け、型締め時に上記突起を上記凹部に嵌合させることで正確に第一サイド１０と第二サイド２０との位置合わせを行うことができる。
【００２８】
サイドモールド１００は、足指を被覆する被覆層２２０を形成するための天井部を有している。天井部は、甲被２００の上側であって足指を覆う被覆層を形成するためのキャビティを構成するための部位である。本実施形態では、天井部として、第一天井部３２および第二天井部３４が設けられている。図示省略する本実施形態の変形例として、天井部が、第一サイド１０または第二サイド２０のいずれか一方のサイドにのみ設けられ、他方のサイドまで延在していてもよい。
【００２９】
第一天井部３２および第二天井部３４の内側には凹部４０が設けられている。本実施形態における凹部４０は、甲被２００の爪先側に配置された爪先プロテクター２１０を覆って形成される予定の被覆層２２０の外周面に沿った形状をしている。凹部４０の形状を変更することによって、種々の形状の被覆層を形成することが可能であり、例えば爪先プロテクター２１０を有しない甲被が装着されたラストモールドと、所定形状の凹部４０とを組合せて第一キャビティ１１０を構成することによって、非安全靴であって爪先側に足指を覆う樹脂製の被覆層２２０を備える靴を製造することができる。
【００３０】
本実施形態では、第一天井部３２に開閉部５０が設けられている。本実施形態では、第一サイド１０に設けられた第一天井部３２の少なくとも一部に開閉部５０が設けられており、より具体的には、第一天井部３２の全体が開閉部５０を構成している。変形例として、第一天井部３２だけではなく第二天井部３４にも開閉部５０が設けられ、第一天井部３２および第二天井部３４の両方に設けられた開閉部５０を開くことで、第一キャビティ１１０をより大きく開放させることも可能である。
【００３１】
本実施形態は、図１に示すとおり、第一サイド１０の第一分割面１２および第二サイド２０の第二分割面２２が互いに当接してサイドモールド１００が型締めされたとき、開閉部５０が閉状態となる。これにより、図３に示すように第一キャビティ１１０が構成される。図示省略する樹脂注入孔から第一キャビティ１１０に注入された樹脂は、爪先プロテクター２１０を覆って第一キャビティ１１０を満たし、その状態で硬化する。これによって被覆層２２０が構成される。
【００３２】
一方、第一分割面１２および第二分割面２２が互いに離間するとともに、開閉部５０が開かれることで、第一キャビティ１１０が開放される。これによって、図６に示すように単に第一分割面１２および第二分割面２２が離間した場合に比べ、ラストモールドを取り出しやすくすることができる。開閉部５０の開閉量は、特に限定されるものではなく、第一分割面１２および第二分割面２２の離間距離、用いられるラストモールド（およびこれに装着される甲被等）の形状などを勘案して適宜設計することができる。尚、本実施形態の説明では、天井部とラストモールドとの間に樹脂が充填される前の空間だけでなく、当該空間に樹脂が充填された場合であっても、便宜的に第一キャビティ１１０と呼ぶ。
【００３３】
第一キャビティ１１０を開放可能な範囲において、開閉部５０が開く方向は特に限定されない。例えば、開閉部５０は、略水平方向に動作することで開状態となる態様であってもよいし、上下方向に扉上に開くことで開状態となる態様であってもよいし、あるいは、開閉部５０は、サイドモールド１００に対し着脱式であって、サイドモールド１００から取り外されることで開状態となる態様であってもよい。また水平方向に動作する開閉部５０は、全体が一方方向にスライドするスライド動作、または任意の箇所に固定軸を有し、当該固定軸を中心として回転する回転動作のいずれを示してもよい。
【００３４】
図示する本実施形態における開閉部５０の開閉の機構の詳細について説明する。
図１（ｂ）に示すとおり、本実施形態における第一サイド１０は、開閉部５０の開閉動作を可能とするための回転構造６０を備える。回転構造６０は、回転動作により開閉部５０の開閉動作を誘導する回転部材６４と、回転部材６４の回転を誘導するボタン部６６とを備える。
回転部材６４は、第一天井部３２の開閉部５０が連結された第一端部６１、力点を有する第二端部６２、および第一端部６１と第二端部６２との間に設けられた支点６３を備える。第二端部６２に力が付加されることで支点６３を介して第一端部６１が作用を受け、支点６３を中心として回転部材６４が回転動作する。これによって第一端部６１に連結された開閉部５０を動作させることができる。
ボタン部６６は、第一分割面１２から外方向に突出した露出端６７を有し、露出端６７が非突出方向に押されることで当該非突出方向に移動するとともに力点（第二端部６２）に力を加える。本実施形態では、ボタン部６６の露出端６７とは反対側の端部が力点である第二端部６２に連結されており、ボタン部６６の移動に連動して回転部材６４が回転方向に動作する。
かかる回転構造６０を備えるサイドモールド１００は、図２の状態から図１の状態となるよう型締めされることで、第一分割面１２から突出するボタン部６６の露出端６７が、第二分割面２２に当接して非突出方向に押されて移動する。これによって力点（第二端部６２）に力が加わることで回転部材６４が回転するとともに開閉部５０が閉状態となるよう動作する。即ち、回転構造６０を備えるサイドモールド１００は、第一サイド１０および第二サイド２０が型締めされることで自動的に回転構造６０が動作するとともに開閉部５０が閉まる方向に動作し、これによって第一天井部３２と第二天井部３４とが閉状態となる。かかる回転構造６０を備えるサイドモールド１００を用いた靴製造装置では、第一サイド１０および第二サイド２０を型締めして樹脂を注入する際、天井部を閉状態にするための手動の作業を要さず、確実に第一キャビティ１１０を構成することができる。
【００３５】
尚、本実施形態では、開閉部５０である第一天井部３２は、第一サイド１０の本体に対し、軸部４２で軸支されており、回転部材６４の回転に連動して動作する開閉部５０が、軸部４２を回転軸として回転動作を行うよう構成されている。これにより、閉状態および開状態における開閉部５０の位置を安定させるとともに、所望の方向にて開閉部５０の開閉動作を実現させることができる。
【００３６】
例えば、回転構造６０における回転部材６４は、一片の板状体であって、当該板状体の下端部である第二端部６２とボタン部６６の端部とは連結され固定されている。一方、回転部材６４の上端部である第一端部６１は、厚み方向に貫通する貫通孔４１６が形成されており、貫通孔４１６に挿通された連結部材４１９により開閉部５０に連結されている。連結部材４１９は、軸部４１４と、軸部４１４の一端に設けられた拡径部４１８を備える。軸部４１４は、相対的に径の大きい貫通孔４１６に挿通されており、挿通方向以外にも動作の自由度が与えられている。そのため、開閉時における第一天井部３２の開閉動作にあそびが設けられている。
軸部４１４の拡径部４１８とは反対側の端部は、開閉部５０に連結され固定されている。一方、拡径部４１８は、貫通孔４１８より外側に位置し、かつ拡径部４１８の径が、貫通孔４１６の径よりも大きく構成されているため、連結部材４１９が挿通孔４１６から抜け出ることが防止されている。
【００３７】
第一天井部３２と第二天井部３４とは、互いに対向する面（第一閉止面３６、第二閉止面３８）を有しており、第一閉止面３６と第二閉止面３８とが当接することで閉状態となる。第一閉止面３６と第二閉止面３８とが当接する位置は、上面視において、たとえば、靴の幅方向中間部である。また本実施形態のサイドモールド１００は、閉状態において、第一閉止面３６と第二閉止面３８とが当接する位置と、第一サイド１０の分割面１２と第二サイド２０の分割面２２とが当接する位置が、上面視において略等しい。
【００３８】
本実施形態では、上面視において、開閉部５０の開閉動作が、第一サイド１０の面内で行われるよう、開閉部５０の外縁形状が規定されている。これによって、開閉部５０が動作することで、第一天井部３２が、他の構造物や作業者の人体に接触することが防止される。たとえば、上面視において、第一天井部３２における第一閉止面３６と対向する対向辺３９は、図１（ａ）に示す閉状態において第一サイド１０の面内において第一サイド１０の側面に対し傾斜しており、図２（ａ）に示す開状態において第一サイド１０の側面に沿った位置、または当該側面よりも第一サイド１０の面内側に位置するよう構成されている。
【００３９】
上述する回転部材６４は、第一サイド１０の外側面に取り付けられてもよいが、図１、図２に示すとおり、第一サイド１０の外側面の一部に切り欠き部４５０を形成し、切り欠き部４５０の内部に回転部材６４を設けるとよい。これにより、回転部材６４と他の物体とが接触して回転部材６４が破損し、あるいは回転部材６４と作業者が接触して、負傷するなどの事態を回避しやすい。切り欠き部４５０の内部に配置された回転部材６４の第二端部６２に連続するボタン部６６は、切り欠き部４５０の内面から第一分割面１２まで連通するよう設けられた孔に移動可能に挿通されている。
【００４０】
本実施形態における回転構造６０において、力点（第二端部６２）に力が付加されない状態において、回転部材６４が開状態となるよう付勢されていることが好ましい。即ち、自然状態において、図２（ｂ）に示すように、開閉部５０を開いた状態とする方向に回転部材６４が位置する状態が初期状態であることが好ましい。付勢手段は特に限定されないが、たとえば、支点６３における図示省略する軸部をバネなどで所望方向に付勢する手段、あるいは、回転部材６４を直接にバネにより所望方向に付勢する手段などが例示される。かかる付勢手段を備えることによって、図１の状態から図２の状態となるよう、第一分割面１２と第二分割面２２とが離間し、露出端６７およびこれに連結する第二端部６２にかかっていた力が除去されたとき、人為的な操作を要さず、付勢手段によって回転部材６４を初期状態に戻すとともに開閉部５０を開状態に戻すことができる。
【００４１】
上述するとおり、本実施形態のサイドモールド１００は、開閉部５０を備えることによって、被覆層を有しない通常の靴製造装置のサイドモールドの開き幅（即ち、第一サイドと第二サイドの最大開き幅）と同程度の開き幅でも、安全靴２５０のサイズに寄らず、十分にラストモールド１００を取り出すことが可能である。
図６に示すとおり、被覆層を備える安全靴を製造するため、第一天井部４３２および第二天井部４３４を備えるサイドモールド４０２を用いた場合、通常の靴製造装置のサイドモールドの開き幅程度では、図６において図示省略するラストモールドと第一天井部４３２、第二天井部４３４とが当たる虞があった。そのため、サイドモールド４０２の開き幅を拡張する必要があった。しかしサイドモールド４０２の開き幅を変更するということは、靴製造装置自体を変更することを意味し、装置変更による費用が発生する。これに対し、サイドモールド１００は、第一天井部３２、第二天井部３４の少なくとも一方に開閉部５０を備えるため、通常の靴製造装置のサイドモールドの開き幅と同程度の開き幅でも、ラストモールドを取り出し易い。第一分割面１２と第二分割面２２との開き幅は、特に限定されず、サイドモールド１００を備える靴製造装置の構成を鑑み決定されるが、たとえば第一分割面１２と第二分割面２２との開き幅（最大距離Ｄ）を、１２ｃｍ以下とすることができ、さらには１０ｃｍ以下とすることができる。
即ち、既存のインジェクションモールド方式の靴製造装置にサイドモールド１００を適用することで、靴製造装置自体および靴製造装置の設置環境を変更することなく、充分に安全靴２５０を製造することが可能である。
【００４２】
本実施形態における第二サイドモールド２０には、押さえ部５２が設けられている。押さえ部５２は、第二天井部３４の上面に配置され固定されており、その一端が第二閉止面３８を跨いで第一天井部３２側まで延在している。即ち、押さえ部５２は、第二閉止面３８を超えて第一天井部３２側に突出している。突出した部分の下面は、閉状態において、第一天井部３２の上面に沿う形状に構成されている。具体的には、本実施形態における上記突出した部分の下面は、略平坦であって、同様に略平坦である第一天井部３２の上面と略同高さである。押さえ部５２が設けられることによって、閉状態となったときに上記突出した部分で第一天井部３２を押さえ、第一キャビティ１１０（図３参照）に樹脂が射出された際、第一天井部３２が上方へ浮き上がることを防止する。
【００４３】
図３にサイドモールド１００が用いられた靴製造装置５００の一例を示す。靴製造装置５００は、上述するサイドモールド１００（第二サイド２０）と、ボトムモールド３００と、ラストモールド３２０を備える。図３では、第一サイド１０が図示省略され、第二天井部３４を備える第二サイド２０の側面が図示されている。靴製造装置５００には、爪先プロテクター２１０が装着された甲被２００が装着されたラストモールド１００が、吊り込まれている。この状態において、爪先プロテクター２１０の表面と第二天井部３４の凹部４０との間には、空間が形成されている。当該空間が、被覆層２２０形成用の樹脂を注入するための第一キャビティ１１０である。第一キャビティ１１０は、爪先プロテクター２１０の甲被２００上の外縁２１２を覆って甲被２００まで到達している。
【００４４】
靴製造装置５００は、一般的なインジェクション方式の靴製造装置と基本構造を同じくしつつ、被覆層２２０を備える靴（安全靴２５０）を製造することができる。靴製造装置５００は、従来の靴製造装置に対し、サイドモールド１００の変更、および適宜に行われる他のモールドの変更を行うことによって、従来の靴製造装置の設置環境を変更せずに構成することが可能である。
【００４５】
本実施形態の靴製造装置５００は、ボトムモールド３００とラストモールド３２０との間に靴底形成用の第二キャビティ１２０が構成される。本実施形態における第一キャビティ１１０と第二キャビティ１２０とは、樹脂が流通可能に連通している。
そのため任意の箇所に設けられた樹脂注入孔１３０から注入された樹脂は、第一キャビティおよび第二キャビティを流動し、これらの空間を満たした状態で硬化される。例えば、図３に示すとおり、サイドモールド１００を通じて第二キャビティ１２０に通じる樹脂注入孔１３０が設けられた態様では、第二キャビティ１２０に注入した樹脂を第一キャビティ１１０にまで流動させることができる。
【００４６】
このように連通する第一キャビティ１１０と第二キャビティ１２０を備える態様では、一度の樹脂注入工程にて被覆層２２０と靴底２４０とを形成することができ、製造工程数を少なくすることができる。また製造された靴（安全靴２５０）は、被覆層２２０と靴底２４０とが一連一体に形成されているため、被覆層２２０と靴底２４０との境界でめくれや破損が生じることが防止される。
【００４７】
上述に本発明の一実施態様を説明したが、かかる説明は本発明を何ら制限するものではない。本発明の趣旨を逸脱しない範囲において、適宜、態様の一部を変更することができる。たとえば、上記態様では第一サイド１０のみに開閉部５０を設けた例を示したが、第二サイド２０にも同様に開閉部１０を設けてもよい。これによって、第一サイド１０自体の開閉量および第二サイド２０自体の開閉量をより小さくしても、スムーズにラストモールドを取り出すことが可能である。
【００４８】
上記実施形態は、以下の技術思想を包含するものである。
（１）インジェクションモールド方式により靴を製造するために用いられるサイドモールドであって、
上記サイドモールドは、水平方向に開閉可能な第一サイドと第二サイドとを有し、
上記第一サイドおよび上記第二サイドの少なくとも一方には、靴を構成する甲被の足指部の上方を覆う天井部が設けられており、
上記天井部は内面側に凹部を有し、
上記凹部と吊り込まれた甲被との間に、足指部を被覆する被覆部を形成するための第一キャビティが形成されるとともに、上記天井部の少なくとも一部に、上記第一キャビティを開放可能に動作する開閉部を備えることを特徴とするサイドモールド。
（２）上記第一サイドの第一分割面および上記第二サイドの第二分割面が互いに当接して上記サイドモールドが型締めされたとき、
上記開閉部が閉状態となる上記（１）に記載のサイドモールド。
（３）少なくとも上記第一サイドは、上記天井部の上記開閉部が連結された第一端部、力点を有する第二端部、および上記第一端部と上記第二端部との間に設けられた支点を備える回転部材と、
上記第一分割面から外方向に突出した露出端を有し、上記露出端が非突出方向に押されることで当該非突出方向に移動するとともに上記力点に力を加えるボタン部と、
を有する回転構造を備え、
上記サイドモールドが型締めされることで、上記第一分割面から突出する上記ボタン部の上記露出端が、上記第二分割面に当接して非突出方向に押されて移動し、これによって上記力点に力が加わることで上記回転部材が回転するとともに上記開閉部が閉状態となるよう動作する上記（２）に記載のサイドモールド。
（４）上記サイドモールドが、靴を構成する甲被の爪先側に足指を保護するための爪先用プロテクターが配置された安全靴を製造するためのモールドであって、
上記凹部と上記爪先用プロテクターの表面との間に上記第一キャビティが形成される上記（１）から（４）のいずれか一項に記載のサイドモールド。
（５）上記サイドモールドが開状態において、上記第一分割面と上記第二分割面との最大距離Ｄが、１２ｃｍ以下である上記（１）から（４）のいずれか一項に記載のサイドモールド。
（６）上記（１）から（５）のいずれか一項に記載の上記サイドモールドと、ボトムモールドと、ラストモールドとを備えることを特徴とする靴製造装置。
（７）上記ボトムモールドと上記ラストモールドとの間に形成された靴底形成用の第二キャビティと、上記第一キャビティとが、樹脂が流通可能に連通している上記（６）に記載の靴製造装置。
【符号の説明】
【００４９】
１０、４１０、４７０・・・第一サイド
１２、４１２・・・第一分割面
２０、４２０、４８０・・・第二サイド
２２、４２２・・・第二分割面
３２、４３２・・・第一天井部
３４、４３４・・・第二天井部
３６・・・第一閉止面
３８・・・第二閉止面
３９・・・対向辺
４０、４４０・・・凹部
４２・・・軸部
５０・・・開閉部
５２・・・押さえ部
６０・・・回転構造
６１・・・第一端部
６２・・・第二端部
６３・・・支点
６４・・・回転部材
６６・・・ボタン部
６７・・・露出端
１００、４００、４０２・・・サイドモールド
１１０・・・第一キャビティ
１２０・・・第二キャビティ
１３０・・・樹脂注入孔
２００・・・甲被
２１０・・・爪先プロテクター
２１２・・・外縁
２２０・・・被覆層
２３０・・・中底
２４０・・・アウトソール
２５０・・・安全靴
３００・・・ボトムモールド
３２０・・・ラストモールド
４１４・・・軸部
４１６・・・貫通孔
４１８・・・拡径部
４１９・・・連結部材
４３０・・・開口
４５０・・・切り欠き部
５００・・・靴製造装置
Ｄ・・・最大距離
【図１】
2019188636.tif 000003
【図２】
2019188636.tif 000004
【図３】
2019188636.tif 000005
【図４】
2019188636.tif 000006
【図５】
2019188636.tif 000007
【図６】
2019188636.tif 000008